【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】
セルラー式通信ネットワークにおいてＧＰＳ対応の移動局に送信されるＧＰＳエフェメリスデータ発行識別子を更新するための方法であって、
セルラー式通信ネットワークと接続している参照ノードにおいてＧＰＳエフェメリスデータを受信することと、
ＧＰＳエフェメリスデータ及びその他のパラメータを有する支援メッセージを生成することと、
ＧＰＳエフェメリスデータ発行識別子を生成することと、
更新されたＧＰＳエフェメリスデータ及び更新された他のパラメータを受信することと、
前記ＧＰＳエフェメリスデータが更新されているときにのみ、前記ＧＰＳエフェメリスデータ発行識別子を更新することとを備える方法。
【請求項２】
前記ＧＰＳエフェメリスデータ以外のパラメータが変更されたときに前記ＧＰＳエフェメリスデータ発行識別子が更新されない、請求項１に記載の方法。
【請求項３】
前記セルラー式通信ネットワークを介してＧＰＳエフェメリスデータ発行識別子を送信することと、前記ＧＰＳエフェメリスデータ発行識別子を移動局において受信することと、受信した前記ＧＰＳエフェメリスデータ発行識別子と、前記移動局に格納されている、対応するＧＰＳエフェメリスデータ発行識別子とを比較することと、受信した前記ＧＰＳエフェメリスデータ発行識別子と前記格納されているＧＰＳエフェメリスデータ発行識別子とが異なるときにのみ、前記移動局において対応するエフェメリス支援メッセージを読み込むこととを備える、請求項１に記載の方法。
【請求項４】
セルラー式通信ネットワークと接続している参照ノードにおいて、複数の衛星からＧＰＳエフェメリスデータを受信することと、
前記複数の衛星からのＧＰＳエフェメリスデータ及びその他のパラメータを有する複数の支援メッセージを生成することと、
前記複数の支援メッセージの各々に対してＧＰＳエフェメリスデータ発行識別子を生成することと、
対応する支援メッセージのＧＰＳエフェメリスデータが更新されたときにのみ、前記複
数のＧＰＳエフェメリスデータ発行識別子を更新するステップを備える、請求項１に記載の方法。
【請求項５】
前記ＧＰＳエフェメリスデータ発行識別子の各々、及び対応する衛星識別子を対応する２進数の配列に符号化することと、前記２進数の配列をネットワークを介して送信することとを備える、請求項４に記載の方法。
【請求項６】
セルラー式通信ネットワークにおいてＧＰＳ対応の移動局に送信されるＧＰＳアルマナックデータ発行識別子を更新するための方法であって、
セルラー式通信ネットワークと接続している参照ノードにおいてＧＰＳアルマナックデータを受信することと、
ＧＰＳアルマナックデータ及びその他のパラメータを有する支援メッセージを生成することと、
ＧＰＳアルマナックデータ発行識別子を生成することと、
更新されたＧＰＳアルマナックデータ及び更新された他のパラメータを受信することと、
ＧＰＳアルマナックデータが更新されているときにのみ、前記ＧＰＳアルマナックデータ発行識別子を更新することとを備える方法。
【請求項７】
前記ＧＰＳアルマナックデータ以外のパラメータが変更されたときに前記ＧＰＳアルマナックデータ発行識別子が更新されない、請求項６に記載の方法。
【請求項８】
前記セルラー式通信ネットワークを介してＧＰＳアルマナックデータ発行識別子を送信することと、前記ＧＰＳアルマナックデータ発行識別子を移動局において受信することと、受信した前記ＧＰＳアルマナックデータ発行識別子と、前記移動局に格納されている、対応するＧＰＳアルマナックデータ発行識別子とを比較することと、受信した前記ＧＰＳアルマナックデータ発行識別子と前記格納されているＧＰＳアルマナックデータ発行識別子とが異なるときにのみ、前記移動局においてアルマナック支援メッセージを読み込むステップを備える、請求項６に記載の方法。
【請求項９】
ＧＰＳアルマナックデータ発行識別子がセルに対応するものであり、前記参照ノード内のアルマナックが更新されたときに、２ビットのデータフィールドに増分を加えることによってＧＰＳアルマナックデータ発行識別子を更新する、請求項６に記載の方法。
【請求項１０】
ＧＰＳアルマナックデータ発行識別子が公衆陸上移動網（ＰＬＭＮ）値タグに対するものであり、前記参照ノード内のアルマナックが更新されたときに、８ビットのデータフィールドに増分を加えることによって前記値タグを更新する、請求項６に記載の方法。
【請求項１１】
セルラー式通信ネットワークにおいてＧＰＳ対応の移動局に送信されるＧＰＳエフェメリスデータ発行識別子であって、
衛星識別子データを有する第一フィールドと、
エフェメリスのシーケンス番号を有する第二フィールドとを有する、ＧＰＳエフェメリスデータ発行識別子。
【請求項１２】
前記第一フィールドが少なくとも５ビットであり、前記第二フィールドが少なくとも３ビットである、請求項１１に記載のＧＰＳエフェメリスデータ発行識別子。
【請求項１３】
ブロードキャストメッセージである、請求項１１に記載のＧＰＳエフェメリスデータ発行識別子。
【請求項１４】
通信ネットワークにおいてＧＰＳ対応の移動局に送信されるＧＰＳナビゲーションデータ値タグを更新する方法であって、
前記通信ネットワークと通信中の参照ノードにおいて、ＧＰＳナビゲーションデータを受信することと、
ＧＰＳナビゲーションデータを含む支援メッセージを生成することと、
ＧＰＳナビゲーションデータタグを生成することと、
更新されたＧＰＳナビゲーションデータを受信することと、
前記ＧＰＳナビゲーションデータが更新されているときにのみ、前記ＧＰＳナビゲーションデータタグを更新することとを備え、
前記ＧＰＳナビゲーションデータはエフェメリスデータおよびアルマナックデータの少なくとも一方を含む方法。
【請求項１５】
前記ＧＰＳナビゲーションデータタグの各々を、４ビット＋４ビット値タグとして、対応する２進数の配列に符号化することと、前記２進数の配列をネットワークを介して送信することとを備える、請求項１４に記載の方法。
【請求項１６】
通信ネットワークにおいてＧＰＳ対応の移動局に送信するためのＧＰＳナビゲーションデータ発行識別子値タグであって、
４ビットを有する第一フィールドと、
４ビットを有する第二フィールドとを備え、
ＧＰＳナビゲーションデータはエフェメリスデータおよびアルマナックデータの少なくとも一方を含む、ＧＰＳナビゲーションデータ発行識別子値タグ。
【請求項１７】
該ＧＰＳナビゲーションデータ発行識別子値タグが、ブロードキャストメッセージの一部である、請求項１６に記載のＧＰＳナビゲーションデータ発行識別子値タグ。
【請求項１８】
無線通信ネットワークにおいて、該無線通信ネットワーク内のＧＰＳ対応の移動局にＧＰＳナビゲーション支援メッセージを通信する方法であって、
支援メッセージ内にＧＰＳナビゲーション情報を提供することと、
ＧＰＳナビゲーション情報に対して発行識別子を提供することとを含む方法。
【請求項１９】
ＧＰＳ対応の移動局に格納されているＧＰＳナビゲーション情報を更新すべきかを判定するために、前記発行識別子を使用することを含む請求項１８に記載の方法。
【請求項２０】
無線通信ネットワークにおいて、ＧＰＳ対応の移動局に通信するために、ＧＰＳナビゲーション情報および対応する値タグを含む支援メッセージを生成する方法であって、
前記支援メッセージ内のＧＰＳナビゲーション情報が更新されたときのみ、前記支援メッセージ内の値タグを更新することを含む方法。